(57)【要約】【課題】  画面に入射する光量に従ったより細かい輝度の調整が可能な情報処理装置を提供することを目的とする。【解決手段】  ＬＣＤパネル２６に表示される画面の輝度を制御する際は、光センサ２４によって検出される光量に応じて、バックライトＬＥＤ２５ａの明るさを制御する。この時、光センサ２４ａによって検出される光量に応じて、各ピクセルに対応するバックライトＬＥＤ２５ａの明るさをＥＣ／ＫＢＣ２０によって制御することができる。各画素３０や画素３１に対して少なくとも一つの光センサ２４が設けられることとなり、光センサ２４によって検出された光量に応じて画素３０や画素３１に対応して表示画面の輝度を調整することができる。このような構成とすることで、画素ごとに輝度を制御することが可能となり、画面の視認性を向上させることができる。【選択図】  図４
2008158207.tif 000002
【特許請求の範囲】
【請求項１】
本体と、
前記本体に設けられ、ディスプレイパネルと前記ディスプレイパネルと対向して配置されるバックライトとを有する表示装置と、
前記表示装置内に設けられ、前記表示装置のディスプレイパネル上に入射する光量を検出する光センサと、
前記光センサにより検出された光量に基づいて、前記バックライトの輝度を調整する輝度調整部と、
を備えることを特徴とする情報処理装置。
【請求項２】
前記光センサは、前記ディスプレイパネルと一体に形成されることを特徴とする請求項１記載の情報処理装置。
【請求項３】
前記ディスプレイパネルには、赤ピクセルと緑ピクセルと青ピクセルとを含む画素が設けられ、前記光センサは、前記ディスプレイパネル上に配列される各画素間に設けられることを特徴とする請求項１記載の情報処理装置。
【請求項４】
前記バックライトはマトリクス状に配列された複数のＬＥＤを有し、
前記輝度調整部は、前記光センサにより検出された光量に基づいて、前記ＬＥＤ毎の輝度を調整することを特徴とする請求項１記載の情報処理装置。
【請求項５】
前記輝度調整部は、前記光センサにより検出された光量に基づいて、前記光センサに隣接する画素の輝度が変化するように前記ＬＥＤの輝度を調整することを特徴とする請求項４記載の情報処理装置。
【発明の詳細な説明】
【技術分野】
【０００１】
本発明は、情報処理装置に関し、特に画面の輝度調整方法に関する。
【背景技術】
【０００２】
従来より、液晶表示装置について、画像の視認性を改善するために種々の工夫がなされている。特に、液晶表示では、画面に光が当たることで、著しく視認性が低下する。
【０００３】
特許文献１には、画面の近くに設置された光センサに入射する光量に従って画面全体の輝度をバックライトにより調整する方法が記載されている。装置の回りの明るさに応じて、画面の輝度を調整し、見易さや省電力性を改善することができる。
【特許文献１】特開平８−１１４８０１号公報
【発明の開示】
【発明が解決しようとする課題】
【０００４】
しかし、上記の方式の場合、光センサに入射する光量と画面そのものに入射する光量に差があった場合に、適切な調整ができないという問題がある。
【０００５】
そこで本発明の目的は、表示装置の画面に入射する光量に従ったより細かい輝度の調整が可能な情報処理装置および輝度調整方法を提供することにある。
【課題を解決するための手段】
【０００６】
上記目的を達成するために本発明に係る情報処理装置は、本体と、前記本体に設けられ、ディスプレイパネルと前記ディスプレイパネルと対向して配置されるバックライトとを有する表示装置と、前記表示装置内に設けられ、前記表示装置のディスプレイパネル上に入射する光量を検出する光センサと、前記光センサにより検出された光量に基づいて、前記バックライトの輝度を調整する輝度調整部と、を備えることを特徴とする。
【発明の効果】
【０００７】
本発明によれば表示装置の画面に入射する光量に従ったより細かい輝度の調整が可能な情報処理装置を提供することができる。
【発明を実施するための最良の形態】
【０００８】
以下本発明に係る実施の形態を、図面を参照して説明する。
【０００９】
図１は本発明に係る情報処理装置を示す外観斜視図である。本実施形態では情報処理装置としてノート型のコンピュータ１を例に説明する。コンピュータ１は本体２を備え、本体２にはディスプレイユニット３がヒンジ部４を介して回動可能に取り付けられている。また、ディスプレイユニット３内にはＬＣＤ（Ｌｉｑｕｉｄ  Ｃｒｙｓｔａｌ  Ｄｉｓｐｌａｙ）５から構成される表示装置が組み込まれる。本体２内には複数の電子部品を搭載した回路基板が収容されている。本体２の前上面２ａにはタッチパッド６が取り付けられ、本体２の後上面２ｂにはキーボード７が取り付けられている。
本体２の後上面２ｂにはコンピュータ１の電源をオン／オフするための電源スイッチ８も設けられている。
【００１０】
図２は本発明の実施形態に係るコンピュータの構成を示すブロック図である。
コンピュータ１には、ＣＰＵ１０、ノースブリッジ１１、主メモリ（ＲＡＭ）１２、グラフィックスコントローラ１３、ＶＲＡＭ１４、サウスブリッジ１５、ハードディスクドライブ（ＨＤＤ）１６、ＢＩＯＳ−ＲＯＭ１７、エンベデッドコントローラ／キーボードコントローラＩＣ（ＥＣ／ＫＢＣ）２０、およびＬＣＤ５、タッチパッド６、キーボード７、電源スイッチ８等が設けられている。
【００１１】
ＣＰＵ１０は、コンピュータ１の各コンポーネントの動作を制御するプロセッサである。このＣＰＵ１０は、ＨＤＤ１６から主メモリ（ＲＡＭ）１２にロードされるオペレーティングシステムおよび各種アプリケーションプログラム／ユーティリティプログラムを実行する。主メモリ（ＲＡＭ）１２は、各種データバッファの格納にも用いられる。  また、ＣＰＵ１０は、ＢＩＯＳ−ＲＯＭ１７に格納されたＢＩＯＳ（Basic Input Output System）も実行する。ＢＩＯＳはハードウェア制御のためのプログラムである。
【００１２】
ノースブリッジ１１は、ＣＰＵ１０のローカルバスとサウスブリッジ１５との間を接続するブリッジデバイスである。また、ノースブリッジ１１は、ＡＧＰ（Accelerated Graphics Port）バスなどを介してグラフィックスコントローラ１３との通信を実行する機能も有している。さらに、ノースブリッジ１１には、主メモリ（ＲＡＭ）１２を制御するメモリコントローラも内蔵されている。
【００１３】
グラフィクスコントローラ１３は本コンピュータ１０のディスプレイモニタとして使用されるＬＣＤ５を制御する表示コントローラである。このグラフィクスコントローラ１３は、ＯＳまたはアプリケーションプログラムによってビデオメモリ（ＶＲＡＭ）１４に書き込まれた表示データに対応する映像信号をＬＣＤ５に送出する。
【００１４】
サウスブリッジ１５は、ＰＣＩ（Peripheral Component Interconnect）バスおよびＬＰＣ（Low Pin Count）バスにそれぞれ接続されている。
【００１５】
ＨＤＤ１６は、ＯＳや各種のアプリケーションプログラムを格納する。エンベデッドコントローラ／キーボードコントローラ（ＥＣ／ＫＢＣ）２０は、電源管理のためのエンベデッドコントローラと、タッチパッド６およびキーボード７などを制御するキーボードコントローラとが集積された１チップマイクロコンピュータである。ＥＣ／ＫＢＣ２０は、電源回路２１と共同して、ユーザによる電源スイッチ８の操作に応答してコンピュータ１をパワーオン／パワーオフする処理を実行する。電源回路２１は、コンピュータ１に内蔵されたバッテリ２２からの電力、またはＡＣアダプタ２３を介して外部から供給される電力を用いて、コンピュータ１内の各コンポーネントに供給すべき電力を生成する。
【００１６】
ＬＣＤ５は図示しないＬＣＤパネルの他に、光センサ２４、バックライト２５等から構成される。光センサ２４は、ＬＣＤ５に表示される画面に入射する光量を検出する。ＬＣＤ５内に組み込まれたバックライト２５の輝度は、光センサにより検出される光量に応じてＥＣ／ＫＢＣ２０により制御される。具体的には、例えば光センサにより検出した光量を数値に変換し、変換された光量を示す数値から、バックライト２５が発するべき光の輝度を算出し、算出された輝度の値に基づいてＬＣＤ５のバックライト２５の発光を制御する。
【００１７】
図３は本発明の実施形態に係るディスプレイユニットの構成を示す断面図である。
【００１８】
ディスプレイユニット３にはＬＣＤ５が組み込まれ、ＬＣＤ５は、ＬＣＤパネル２６、ＬＣＤ５に表示される画面に入射する光量を検出するための光センサ２４、ＬＣＤ５の光源となるバックライト２５等から構成される。ＬＣＤパネル２６は対向する２枚のガラス基板２６ａ、２６ｂから構成され、ガラス基板２６ａ、２６ｂの間には液晶２６ｃが封入される。ガラス基板２６ａ、２６ｂには封入された液晶２６ｃの配向を調整するために、図示しない電極が設けられる。表示面側のガラス基板２６ａにはカラーフィルタが一体に形成され、カラーフィルタの画素間には、光センサ２４が設けられる。
【００１９】
ＬＣＤパネル２６の後方には、バックライト２５が配置されバックライト２５から照らされる光によってＬＣＤ５に表示される画面の輝度が保たれる。バックライト２５は、図３に示すように多数のバックライトＬＥＤ２５ａを敷き詰めるように配置することで機能を発揮する。ＬＣＤパネル２６のガラス基板２６ａにカラーフィルタが一体に形成されることで、バックライト２５から照らされる光がカラーフィルタを透過し、ＬＣＤ５に表示される画面をカラーで表示することができる。バックライト２５は、図３に示すようにバックライトＬＥＤ２５ａを敷き詰める構成の代わりに、一枚の板状の発光体を設ける構成としても良い。また、図３には、白色光を発するバックライト２５と、カラーフィルタが一体に形成されたガラス基板２６ａとを設置する構成を示しているが、無色透明のガラス基板を設置し、ＬＥＤ自身が白色光以外の赤色光、緑色光、青色光等を発するようにしても良い。
【００２０】
図４は本発明の実施形態に係る画素の配置を示す模式図である。ＬＣＤパネル２６のガラス基板２６ａには色を表示するためカラーフィルタを構成する画素３０がＬＣＤパネル２６全体に亘って敷き詰められているが、説明のため省略して一部のみを示す。画素３０は赤色を構成するＲピクセル３０ａ、緑色を構成するＧピクセル３０ｂ、青色を構成するＢピクセル３０ｃの集合として形成される。画素３０を構成する各ピクセルの隙間には、光センサ２４が設けられる。光センサ２４は光量を検出するので光をＬＣＤパネル２６の外に向けて透過しないため、光センサ２４の総面積を大きくしすぎるとＬＣＤパネル２６の明るさ自体が低下してしまう。本実施形態では、画素３０を構成するＲピクセル３０ａ、Ｇピクセル３０ｂ、Ｂピクセル３０ｃが六角形に形成されることで配置されて生じる隙間に光センサ２４を設け、バックライト２５から発する光をできる限り多くＬＣＤパネル２６に照らすことができる。
【００２１】
ＬＣＤパネル２６に表示される画面の輝度を制御する際は、光センサ２４によって検出される光量に応じて、バックライトＬＥＤ２５ａの明るさを制御する。この時、光センサ２４ａによって検出される光量に応じて、各ピクセルに対応するバックライトＬＥＤ２５ａの明るさをＥＣ／ＫＢＣ２０によって制御することができる。例えば、光センサ２４ａによって検出される光量に応じて、Ｒピクセル３０ａおよびＧピクセル３０ｂに対応するバックライトＬＥＤ２５ａの明るさを変えたり、Ｒピクセル３０ａおよびＧピクセル３０ｂおよびＲピクセル３１ａおよびＧピクセル３１ｂに対応するバックライトＬＥＤ２５ａの明るさを変えるようにしても良い。また、光センサ２４ｂによって検出される光量に応じて、画素３０を構成するＲピクセル３０ａおよびＧピクセル３０ｂおよびＢピクセル３０ｃに対応するバックライトＬＥＤ２５ａの明るさを変えて、画素３０全体の明るさを変えるようにしても良い。
【００２２】
このような構成とすると、各画素３０や画素３１に対して少なくとも一つの光センサ２４が設けられることとなる。光センサ２４によって検出された光量に応じて画素３０や画素３１に対応して表示画面の輝度を調整することで、より高精度な輝度調整が可能となる。例えば、光センサ２４ａと光センサ２７ａとで検出される光量に著しい差がある場合、ＬＣＤパネル２６に表示される画面の輝度を一律に調整してしまうと、視認性が低下する箇所が生じる。たとえば、光センサ２７ａよりも光センサ２４ａにより検出される光量の方が少ない場合は、画素３０の輝度がより大きくなるように制御することで、画面の視認性を向上させることができる。
【００２３】
図５は本発明の実施形態に係る他の画素の配置を示す模式図である。図４に示したものと同一の構成には同じ符号を付し、重複した説明を省略する。図５に示すように矩形の画素４０をマトリクス状に配置して、画素４０ａと画素４０ｂとの間に光センサ２８ａが位置するような構成としても良い。図４において説明した場合と同様に、光センサ２８ａにより検出される光量に応じて画素４０ａに対応するバックライトＬＥＤ２５ａの明るさをＥＣ／ＫＢＣ２０によって制御することができる。光センサ２８ｂによって検出される光量に応じて画素４０ｂの輝度を制御し、光センサ２８ｃによって検出される光量に応じて画素４０ｃの輝度を制御するようにすることで、より高精度な輝度調整が可能となる。図５に示した構成によっても、画素ごとに輝度を制御することが可能となり、画面の視認性を向上させることができる。
【００２４】
なお、本実施形態では画素を赤色、緑色、青色で構成する場合を示したが、その他、７色の画素から構成されるものや、他の色から構成されるものであっても良い。また、ＬＣＤパネルに表示される画面の輝度を調整する方法として、バックライトＬＥＤの明るさ自体を変える方法以外に、バックライトとＬＣＤパネルとの間にシャッターを設け、光センサにより検出される光量に応じてシャッターの開閉を制御することで輝度を調整しても良い。また、光センサにより検出される光量に応じて、ソフトウェアとハードウェアとが協働して表示される画面のガンマ値を変更することで、輝度に応じて視認性を向上させることも可能である。
【００２５】
本発明ではその主旨を逸脱しない範囲であれば、上記の実施形態に限定されるものではなく種々の変形が可能である。
【図面の簡単な説明】
【００２６】
【図１】本発明に係る情報処理装置を示す外観斜視図。
【図２】本発明の実施形態に係るコンピュータの構成を示すブロック図。
【図３】本発明の実施形態に係るディスプレイユニットの構成を示す断面図。
【図４】本発明の実施形態に係る他の画素の配置を示す模式図。
【図５】本発明の実施形態に係る他の画素の配置を示す模式図。
【符号の説明】
【００２７】
１…コンピュータ、２…本体、３…ディスプレイユニット、４…ヒンジ部、５…ＬＣＤ、６…タッチパッド、７…キーボード、８…電源スイッチ、１０…ＣＰＵ、１１…ノースブリッジ、１２主メモリ（ＲＡＭ）、１３…グラフィックスコントローラ、１４…ＶＲＡＭ、１５…サウスブリッジ、１６…ハードディスクドライブ（ＨＤＤ）、１７…ＢＩＯＳ−ＲＯＭ、２０…エンベデッドコントローラ／キーボードコントローラＩＣ、２１…電源回路、２２…バッテリ、２３…ＡＣアダプタ、２４…光センサ、２５…バックライト、２６…ＬＣＤパネル、２７…光センサ、２８…光センサ、３０…画素
【図１】
2008158207.tif 000003
【図２】
2008158207.tif 000004
【図３】
2008158207.tif 000005
【図４】
2008158207.tif 000006
【図５】
2008158207.tif 000007